(57)【要約】一実施例において、方法は、表示装置用の白点補正を取得する段階と、表示装置用の色補正を取得する段階と、を含んでいる。又、この方法は、白点及び色補正に基づいて補正済みの色座標を生成する段階を含むこともできる。この方法によれば、ソフトプルーフィング環境の表示装置上の画像が、印刷物上の画像と視覚的に一致するようにできる。
2005506723.tif 000002
【特許請求の範囲】
【請求項１】
表示装置用の白点補正を取得するステップと、
前記表示装置用の色補正を取得するステップと、
前記白点及び色補正に基づいて補正される色座標を生成するステップと、を有する方法。
【請求項２】
白点補正行列を判定することによって前記白点補正を取得するステップと、
色補正行列を判定することによって前記色補正を取得するステップと、を更に有する請求項１記載の方法。
【請求項３】
前記白点補正行列を判定するステップは、
Ｄ５０光源条件においてオリジナルの白点行列によって定義されている色を表示装置上に表示するステップと、
前記表示装置上の視覚的な見え方が印刷物と視覚的に等価になるように、少なくともいくつかの白点行列の値を調節するステップと、を有する請求項２記載の方法。
【請求項４】
前記少なくともいくつかの白点行列の値を調節するステップは、ディスプレイの最大フォスファ設定を調節するステップを有する請求項３記載の方法。
【請求項５】
前記色補正行列を判定するステップは、
Ｄ５０光源条件においてオリジナルの色行列によって定義されている色を表示装置上に表示するステップと、
前記表示装置上の視覚的な見え方が印刷物と視覚的に等価になるように、少なくともいくつかの色行列の値を調節するステップと、を有する請求項２記載の方法。
【請求項６】
前記少なくともいくつかの色行列の値を調節するステップは、ＲＧＢ色空間における色度値を調節するステップを有する請求項５記載の方法。
【請求項７】
前記ＲＧＢ色空間における色度値を調節するステップは、ＡｄｏｂｅＲＧＢ（ｄ５０）色空間における色度値を調節するステップを有する請求項６記載の方法。
【請求項８】
前記白点及び色補正に基づいて、補正される色座標を生成するステップは、単一の補正行列を生成するステップを有する請求項１記載の方法。
【請求項９】
請求項１〜８の中のいずれか一項記載の方法をプロセッサに実行させる命令を有するコンピュータ読取り可能な媒体。
【請求項１０】
ハードコピー上の色を定義する装置独立座標を判定するステップと、
前記装置独立座標、白点補正、及び色補正を使用して補正される座標を生成するステップと、
前記補正される座標を使用して前記色を表示するステップと、を有する方法。
【請求項１１】
前記表示された色が前記ハードコピー上の前記色と視覚的に等価である請求項１０記載の方法。
【請求項１２】
前記白点補正は白点補正行列であり、前記色補正は色補正行列である請求項１０記載の方法。
【請求項１３】
前記白点補正行列及び前記色補正行列を判定するステップを更に有する請求項１２記載の方法。
【請求項１４】
前記白点補正行列を判定するステップは、
Ｄ５０光源条件においてオリジナルの白点行列によって定義されている色を表示装置上に表示するステップと、
前記表示装置上の視覚的な見え方が前記Ｄ５０光源条件において観測された白の印刷物と視覚的に等価になるように、少なくともいくつかの白点行列の値を調節するステップと、を有する請求項１３記載の方法。
【請求項１５】
前記色補正行列を判定するステップは、
Ｄ５０光源条件においてオリジナルの色行列によって定義されている色を表示装置上に表示するステップと、
前記表示装置上の視覚的な見え方が前記Ｄ５０光源条件において観測される色の印刷物に視覚的に等価になるように、少なくともいくつかの色行列の値を調節するステップと、を有する請求項１３記載の方法。
【請求項１６】
請求項１０〜１５の中のいずれか一項記載の方法をプロセッサに実行させる命令を有するコンピュータ読取り可能な媒体。
【発明の詳細な説明】
【技術分野】
【０００１】
本発明は、カラー画像生成に関し、更に詳しくは、表示装置上にカラー画像を表示する技術に関する。
【背景技術】
【０００２】
カラー画像生成装置は、異なる装置依存座標の組み合わせを使用し、表示（又は、紙やフィルムなどの媒体に印刷）するカラー画像を形成する。多くのハードコピー印刷装置では、シアン、マゼンタ、黄色、及び黒（ＣＭＹＫ）の組み合わせを使用してカラー画像を形成している。これらＣ、Ｍ、Ｙ、及びＫの装置依存座標を組み合わせることにより、その装置が生成可能な比色値の色域を形成することができる。陰極線管（ＣＲＴ）やフラットパネルモニタなどの表示装置では、赤、緑、及び青（ＲＧB）の装置依存座標を使用可能である。忠実度の高いカラー画像生成装置の中には、シアン、マゼンタ、黄色、及び黒の装置依存座標を、オレンジや緑などのその他の座標と組み合わせて使用可能なものも存在する。これら及びその他の装置依存座標系（device-dependent coordinate system）は、様々なカラー画像生成装置で使用するべく開発されたものである。
【０００３】
様々な装置における色仕様を標準化する試みにより、多くの異なる装置独立座標系が開発されている。例えば、ＣＩＥ（Commission Internationale de l’Eclairage：国際照明委員会）では、L*a*b*色空間（以下では、L*a*b*色空間、L*a*b*空間、又は、単にL*a*b*と呼ぶ）及びＸＹＺ色空間（以下では、ＸＹＺ色空間、ＸＹＺ空間、又は、単にＸＹＺと呼ぶ）などの装置独立色空間を開発している。これ以外にも、いくつかのその他の組織や個人によって、その他の装置独立色空間が開発されている。
【０００４】
装置独立色空間内の点は、特定の装置座標とは無関係に、色値を理論的に定義している。例えば、L*a*b*空間やＸＹＺ空間内の点を装置の色域内の点にマッピングすることができる。そして、この装置の色域内の点は、L*a*b*空間やＸＹＺ空間内の点によって定義されているものと視覚的に等価な色を理論的にその装置に生成させる装置依存座標を定義しているのである。
【０００５】
「ソフトプルーフィング」という用語は、印刷されたハードコピーではなく、表示装置を利用するプルーフィング（検査）のプロセスを意味している。従来のカラープルーフィング法は「ハードコピープルーフィング」に依存しており、校正刷りを紙やその他の印刷媒体に印刷して検査し、画像と色が視覚的に正しく見えるようにしている。ハードコピープルーフィングプロセスでは、例えば、色特性を調節し、連続的なハードコピー印刷物を検査することができる。そして、特定の校正刷りが許容範囲内にあると判定された後に、その許容範囲内の校正刷りの作成に使用した色特性を再度使用し、例えば、印刷機によって許容範囲内の校正刷りと視覚的に等価に見える大量の印刷媒体を量産することができる。
【０００６】
ソフトプルーフィングは、多くの理由から非常に望ましいものである。例えば、ソフトプルーフィングでは、プルーフィングプロセスにおいて、複数の媒体を印刷する必要がない。更に、ソフトプルーフィングによれば、ハードコピーの提供を待たず、単に表示装置を見ることにより、複数のプルーフィングスペシャリストが遠隔地からカラー画像のプルーフィングを実行可能である。ソフトプルーフィングは、ハードプルーフィングよりも迅速であって便利である。更に、ソフトプルーフィングによれば、プルーフィングプロセスの費用を削減することができる。これら及びその他の理由から、ソフトプルーフィングは、非常に望ましいものである。
【発明の開示】
【発明が解決しようとする課題】
【０００７】
しかしながら、ソフトプルーフィングの表示装置に表示される色と、実際に印刷されたハードコピーに表れる色の間に良好な視覚的な一致を実現することが困難であることがソフトプルーフィングに伴う主要な問題点である。前述のように、装置独立座標は、色仕様を理論的に標準化している。従って、ハードコピー印刷物のＣＭＹＫ装置座標を装置独立座標に変換した後に、ＲＧＢ装置座標に変換することは、理論的には、可能である。又、ＲＧＢ装置座標を使用して表示した色は、理論的には、ハードコピー印刷物の色と視覚的に等価になるはずである。しかしながら、ソフト及びハードコピー媒体によって表示された画像が実質的に同一の装置独立値を生成している場合にも、実際にディスプレイに表示された色は、ハードコピー印刷物の色とは異なって見えるのである。ソフトプルーフィング表示装置の色がハードコピー印刷物の色と許容範囲内で視覚的に一致しなければ、ソフトプルーフィングは有効に機能することができず、且つ産業界に普及することはできない。
【課題を解決するための手段】
【０００８】
一実施例において、方法は、表示装置用の白点補正を取得するステップと、表示装置用の色補正を取得するステップと、を含んでいる。又、この方法は、白点及び色補正に基づいて補正される色座標を生成するステップを含むこともできる。又、この方法は、白点補正行列を判定することによって白点補正を取得するステップと、色補正行列を判定することによって色補正を取得するステップと、を更に有することができる。
【０００９】
白点補正行列を判定するステップは、既知の光源条件（例：Ｄ５０）においてオリジナルの白点行列によって定義される色を表示装置上に表示するステップと、表示装置上での視覚的な見え方が印刷物と視覚的に等価になるように、少なくともいくつかの白点行列の値を調節するステップと、を有することができる。少なくともいくつかの白点行列の値を調節するステップは、ディスプレイ上の最大蛍光体設定を調節するステップを有することができる。
【００１０】
色補正行列を判定するステップは、既知の光源条件（例：Ｄ５０）においてオリジナルの色行列によって定義される色を表示装置上に表示するステップと、表示装置上の視覚的な見え方が印刷物と視覚的に等価になるように、少なくともいくつかの色行列の値を調節するステップと、を有することができる。少なくともいくつかの色行列の値を調節するステップは、ＡｄｏｂｅＲＧＢ（ｄ５０）色空間などのＲＧＢ色空間における色度値を調節するステップを有することができる。
【００１１】
別の実施例においては、方法は、ハードコピー上の色を定義する装置独立座標を判定するステップと、この装置独立座標、白点補正、及び色補正を使用して補正される座標を生成するステップと、を含んでいる。又、この方法は、補正される座標を使用してその色を表示するステップを更に有することができる。表示された色は、ハードコピー上の色と視覚的に等価になる。
【００１２】
白点補正は白点補正行列であり、色補正は色補正行列であってよい。これらの行列は、表示装置の出力特性に基づいて判定することができる。例えば、白点補正行列を判定するステップは、既知の光源条件（例：Ｄ５０）においてオリジナルの白点行列によって定義される色を表示装置上に表示するステップと、表示装置上の視覚的な見え方が既知の光源条件において観測される白の印刷物と視覚的に等価になるように、少なくともいくつかの白点行列の値を調節するステップと、を有することができる。又、色補正行列を判定するステップは、既知の光源条件（例：Ｄ５０）においてオリジナルの色行列によって定義される色を表示装置上に表示するステップと、表示装置上の視覚的な見え方が既知の光源条件において観測される色の印刷物と視覚的に等価になるように、少なくともいくつかの色行列の値を調節するステップと、を有することができる。
【００１３】
別の実施例においては、方法は、印刷装置において色を定義する装置依存座標を装置独立座標（device-independent coordinates）に変換するステップと、白点補正及び色補正を使用して装置独立座標を調節するステップと、を含んでいる。この方法は、補正される装置独立座標を表示装置において色を定義する装置依存座標に変換するステップを更に有することができる。又、この方法は、補正される座標を使用して色を表示するステップを更に有することができる。表示された色は、例えば、ハードコピー上の色と視覚的に等価になる。この場合にも、白点補正は白点補正行列であり、色補正は色補正行列であってよい。
【００１４】
別の実施例においては、方法は、表示装置上に表示した第１の色がハードコピー用の定義された光源条件における白と一致するように、表示装置の最大蛍光体値を調節するステップと、表示装置上に表示した第２の色が、定義された光源条件における定義された色と一致するように、色設定を調節するステップと、を含んでいる。一例として、この定義された光源条件は、Ｄ５０光源条件である。
【００１５】
色設定を調節するステップは、コンピュータプログラム内で色設定を調節するステップを有することができる。例えば、色設定を調節するステップは、AdobeRGB（５０）色空間などのＲＧＢ色空間における色度値を調節するステップを有することができる。
【００１６】
更に別の実施例においては、方法は、ハードコピー上に画像の第１視覚表現を生成するステップと、表示装置上に画像の第２視覚表現を生成するステップと、を含んでいる。第１視覚表現と第２視覚表現は、例えば、異なる装置独立座標を備えていてもよい。しかしながら、表示装置上の白点及び飽和色のいずれもがハードコピー上の白点及び飽和色と良好な視覚的な一致を示すことができる。実際に、表示装置上の白点と飽和色の両方がハードコピー上の白点及び飽和色と視覚的に等価になることも可能なのである。
【００１７】
その他の実施例においては、本発明は、表示装置と、プロセッサに接続されたメモリデバイスと、を含むシステムを構成する。このプロセッサは、前述の１つ又は複数の方法を実行可能である。
【００１８】
更にその他の実施例においては、本発明は、実行した際に、前述の１つ又は複数の方法を実行するプログラムコードを格納するコンピュータ読取り可能な媒体を構成する。
【００１９】
更にその他の実施例においては、本発明は、色プロファイルデータ構造を格納するコンピュータ読取り可能な媒体を構成する。この色プロファイルデータ構造は、第１装置に対応し、第１装置に関連付けられている実際の光源条件には対応していない光源条件の値を含むことができる。この色プロファイルデータ構造を使用して第２装置上に描画した画像は、第１装置上に描画された画像と視覚的に等価になる。
【発明を実施するための最良の形態】
【００２０】
模範的な実施例において、本発明は、ソフトプルーフィングを円滑に実行する方法、システム、及びプログラムコードを格納するコンピュータ読取り可能な媒体から構成されている。本発明によれば、ハードコピープルーフィング環境とソフトコピープルーフィング環境の間で色座標を変形する１つ又は複数の変形法を実装可能である。この変形により、表示装置上に表示されたカラー画像が印刷媒体上に印刷されたカラー画像と許容範囲内で視覚的に一致するようになる。
【００２１】
一実施例において、本発明は、例えば、表示装置上に表示された第１の色がハードコピー用の定義された光源条件における白と一致するように、表示装置の最大蛍光体値を調節するステップを含む方法である。この方法は、表示装置上に表示された第２の色が、定義された光源条件における定義された色と一致するように、色設定を調節するステップを含むこともできる。この方法により、ソフトプルーフィング環境において表示装置上に表示された画像が印刷媒体上に印刷された画像と視覚的に等価になる。
【００２２】
ソフトプルーフィング技術の最終目標は、表示装置におけるカラー画像の正確な描画を円滑に実行することである。換言すれば、ソフトプルーフィング技術は、印刷媒体上のカラー画像と、「視覚的に許容範囲内で一致する」、「視覚的に等価な」、又は「良好な視覚的な一致を示す」カラー画像を表示装置上に表示することを追及する。２つの画像は、それらの経験的なデルタＥ誤差が略１に等しいか、或いは１未満である場合に、「視覚的に等価」となる。良好な視覚的な一致は、色管理の訓練を受けた人物が２つのカラー画像の色値間に視覚的に差を識別できない場合に実現される。視覚的な許容範囲内の一致とは、ソフトプルーフィング環境における許容範囲内の一致である。
【００２３】
前述のように、２つの画像は、それらの経験的なデルタＥ誤差が略１に等しいか、或いは１未満の場合に、「視覚的に等価」になる。一例として、単一の色の経験的なデルタＥの値は、ＲＧＢ色をＣＲＴ上に表示することによって判定可能である。比較するべく、その色のハードコピーをＣＲＴに隣接して配置することができる。色管理の訓練を受けた複数のオペレータがハードコピーの色をＣＲＴの色と比較し、ＣＲＴの色がハードコピーの色と一致するように、ＣＲＴの色のＲＧＢ値を調節することができる。必要に応じて、望遠鏡のような管を通して２つの色を観察／比較することにより、散乱光の影響を除去可能である。オペレータが判定した補正の平均値がＲ、Ｇ、及びＢについてゼロに近ければ、ＣＲＴとハードコピーの色は、ゼロに近い経験的なデルタＥを備えている、と言うことができる。平均デルタがゼロでない場合には、オリジナルのＲＧＢと平均値を調節したＲＧＢの表示ＩＣＣプロファイルを使用してＲＧＢをL*a*b*に変換することにより、経験的なデルタＥを判定可能である。この場合、デルタＥは、L*a*b*値から算出することになる。
【００２４】
画像生成装置は、印刷装置と表示装置を含んでいる。印刷装置には、例えば、レーザープリンタ、インクジェットプリンタ、サーマルイメージャ、ドットマトリックスプリンタ、印刷機、或いは紙やフィルムなどの実体のある媒体に印刷する能力を有するその他の装置が含まれる。表示装置には、陰極線管（ＣＲＴ）、液晶ディスプレイ（ＬＣＤ）及びその他のフラット画面ディスプレイ、デジタルペーパー、電子インクディスプレイ、並びに電子入力信号又はデータから画像を描画する能力を有するその他の装置が含まれる。
【００２５】
通常、印刷装置及び表示装置は、いずれも装置依存座標を利用して色を定義している。印刷装置は、例えば、通常、ＣＭＹＫ又はＣＭＹＫＯＧ座標を使用して色を定義しており、従って、印刷装置は、印刷装置の色能力を定義する関連付けられたＣＭＹＫ色域又はＣＭＹＫＯＧ色域を備えることができる。多くの表示装置では、現在、ＲＧＢ座標を使用して色を定義しており、従って、通常、表示装置の色能力を定義する関連付けられたＲＧＢ色域を備えている。例えば、ＣＲＴ表示装置の場合には、その装置のＲＧＢ色域内の色を表示可能な赤、緑、及び青蛍光体の様々な組み合わせを利用している。
【００２６】
しかしながら、色の視覚的な見え方は光源条件によっても左右される。例えば、異なる照明の下で観察すれば、同一の印刷物も異なって見える。このため、１つ又は複数の色空間によって定義された色を比較する場合には、通常、光源条件は固定変数（fixed variable）である。光源条件は、ハードコピープルーフィング環境及びソフトプルーフィング環境のいずれにおいても重要である。
【００２７】
実験による研究の結果、ＣＩＥ規格によって定義される色彩学における明白な齟齬の存在が明らかになっている。具体的には、表示装置と印刷装置は、同一の計測ＸＹＺ座標を備えるカラー画像を生成可能であるが、それらの画像が視覚的に異なって見えるのである。例えば、Ｄ５０光源条件に対して較正されたＣＲＴディスプレイは、Ｄ５０光源条件で観察される同一のＸＹＺ座標を有する印刷画像と比較すると、黄色に見えるのである。
【００２８】
同一の計測ＸＹＺ座標を有する画像は、理論的には、同一に見えるはずである。残念ながら、ハードコピーとソフト画像の視覚的な比較の場合には、必ずしもこれが当てはまらないのである。従って、表示装置上の画像とハードコピー媒体上に印刷された画像間に、「プルーフィング品質」の（即ち、「視覚的に許容範囲内の一致を示す」、「視覚的に等価な」、或いは「良好な視覚的な一致を示す」）色の一致を実現するには、本発明によるＸＹＺ座標の変形が必要なのである。
【００２９】
図１は、本発明の実施例による色変形プロセスを示すフローチャートである。図１に示されているように、第１の装置依存座標の組を装置独立座標に変換する（11）。次いで、この装置独立座標を変形する（12）。そして、変形された装置独立座標を第２の装置依存座標の組に変換する（13）。この図１のプロセスは、例えば、第２の画像生成装置（例：ディスプレイ）の出力が第１の画像生成装置（例：プリンタ）の出力と視覚的に等価に見えるように、カラー画像内のすべてのピクセルに対して実行可能である。
【００３０】
図２は、図１のプロセスの一実装例を示すフローチャートである。図示のごとく、ハードコピーのＣＭＹＫ画像の画像データをＣＭＹＫ座標からＸＹＺ座標に変換する（21）。次いで、ＸＹＺ座標をＸ’Ｙ’Ｚ’に変形する（22）。そして、ソフトプルーフィングのために表示装置上に表示するべく、これらの変形されたＸ’Ｙ’Ｚ’座標をＲＧＢ座標に変換することができる（23）。この結果、ＲＢＧ座標を使用する表示装置の出力をＣＭＹＫ座標で印刷されたハードコピーと視覚的に等価にすることができる。
【００３１】
図３は、装置独立座標を変形するべく実装可能な概略プロセスのフローチャートである。図示のごとく、白点を補正した後に（31）、有彩色を補正する（32）。このように変形プロセスを分割することにより、正確な色の一致結果を生成することができる。
【００３２】
再度図１を参照すれば、第１の装置独立座標の組は、第１装置と関連付けることができる。この第１装置は、例えば、ＣＭＹＫ色域によってカラー画像を印刷するプリンタである。このカラー画像は、画像内の点の色を定義する装置依存座標（device-dependent coordinates）の集合から構成することができる。
【００３３】
例えば、ＣＭＹＫ座標の大きな集合を含む画像データから画像を構成することができる。これらの座標のそれぞれを装置独立座標に変換した後に（11）、変形することができる（12）。そして、それぞれの変形された座標を変換し、第２の装置依存座標の組を形成可能である（13）。
【００３４】
この第２の装置依存座標の組は、例えば、第２の画像生成装置と関連付けることができる。例えば、第２の画像生成装置がＣＲＴなどの表示装置の場合には、第２の装置依存座標の組はＲＧＢ座標の集合である。変形された座標から各ＲＧＢ座標を生成することができる。
【００３５】
変形操作（12）は、正確な色の一致を実現するために重要である。この変形ステップ（12）では、例えば、表示装置上の出力がプリンタの印刷物と実質的に同一に見えるように、装置独立座標を調節する。この変形は「理論的」には不要なものである。しかしながら、普及しているＣＩＥ色方程式の色彩学における前述の齟齬のために、特に色の一致が極めて重要なソフトプルーフィング分野においては、この変形を使用することが必要になるのである。従って、本発明は、ハードコピーとソフトコピーのマッチングにおいて、従来のＸＹＺ変形で発生する色の一致に関する欠陥を補償するものである。
【００３６】
図３を再度参照すれば、装置独立座標の分割変形ステップが示されている。一例として、表示装置の白点は、Ｄ５０などの既知の光源条件から始めることによって補正可能である（31）。例えば、白点を定義するべく、Ｄ５０の照明を備えるビューイングブース内に白い面を配置する。この白い面の反射率は、L*a*b*などの装置独立座標の観点で計測可能である。この時点で、カリフォルニア州サンノゼに所在するアドビシステムズ社（Adobe Systems, Inc. of San Jose, California）から市販されているAdobe（登録商標）PhotoShop（登録商標）などの市販ソフトウェアを使用し、同一のL*a*b*値を有する白領域を生成して表示装置上に表示することができる。次いで、この表示装置上の白い画像とビューイングブース内の白い画像が「視覚的に等価になる」、「良好な視覚的な一致を示す」、又は「視覚的に許容範囲内の一致を示す」まで、表示装置上の白点のｘ及びｙ色度を調節する。この白点のｘ及びｙ色度に対する調節に留意されたい。この調節が完了すれば、その表示装置を「視覚的なＤ５０」の白点に較正されたものとして分類することができる。この場合、ディスプレイとハードコピーが示している白点は、ＸＹＺ値がわずかに異なっているが、視覚的な一致を示している。
【００３７】
白点を補正した後に（31）、有彩色を補正することができる（32）。この有彩色に対する補正は、例えば、装置の色域内の飽和色に対する補正として分類可能である。例えば、この補正をＲＧＢ色域で定義されるＣＲＴに適用する場合には、この有彩色に対する補正は、Ｒ、Ｇ、及びＢ色度に対する調節である。
【００３８】
一実施例におけるこの有彩色に対する補正では、まず補正値を判定する。これを実行するには、ＣＭＹＫ画像をデジタルの形態に変換する必要がある。ＣＭＹＫ画像は、例えば、分光光度計によって計測した正確なMatchprint（商標）プロファイル（即ち、ミネソタ州オークデールに所在するイメーション社（Imation Corp. of Oakdate, Minnesota)から市販されているImation Matchprint（商標）レーザープルーファの出力用のプロファイル）を有する絶対レンダリングインテントを使用してAdobeRGB（５０）に変換することができる。比較のために使用する画像としては、Ｃ、Ｍ、Ｙ、Ｒ（例：Ｍ＋Ｙ）、Ｇ（例：Ｃ＋Ｙ）、及びＢ（例：Ｃ＋Ｍ）の１００％の単色と重ね刷りを含んでいるものが最適ではあるが、本発明は、これに限定されるものではない。この時点で、ＲＧＢ作業空間をAdobeRGB（Ｄ５０）に設定する必要がある。このデジタル画像をビューイングステーションでCMYK Matchprint（商標）ハードコピーと比較し、視覚的に許容範囲内の一致又は良好な視覚的な一致を実現するまで、或いは２つの画像が視覚的に等価になるまで、AdobeRGB（Ｄ５０）作業空間のＲ、Ｇ、及びＢ色度を調節することができる。ここでも、表示装置の作業空間のＲ、Ｇ、及びＢ色度に対するこの調節に留意されたい。
【００３９】
図４は、本発明の実施例による別のフローチャートである。具体的には、図４は、ソフトプルーフィング設定において白点を補正するために実装可能な一方法を示している。図示のごとく、まず、ＲＧＢ作業空間をハードコピーの光源条件に設定する（41）。この場合にも、光源条件は、例えば、Ｄ５０光源条件である。
【００４０】
ＲＧＢ作業空間の光源条件を設定した後に（41）、白のＲＧＢソフトコピーを白のＣＭＹＫハードコピーの隣に表示する（42）。例えば、白のＣＭＹＫハードコピーと同一のL*a*b*値を有する白い領域をＲＧＢ作業空間に作成し、ＣＭＹＫハードコピーの隣に表示することができる。ＣＭＹＫハードコピーを照射する光源条件は、依然としてＤ５０である必要がある。次いで、白のソフトコピーをハードコピーの白と視覚的に比較する（43）。
【００４１】
ハードコピーの白とソフトコピーの白を比較した後に、表示装置上の最大蛍光体設定を調節してハードコピーとソフトコピー間の視覚的な一致を実現することができる（44）。蛍光体設定は、例えば、ディスプレイ上に表示されている白がハードコピー上の白と同一に見えるところまで増分によりユーザーが調節可能である。そして、白についての視覚的な一致が実現した後に、蛍光体設定に対する調節量を記録することができる（45）。
【００４２】
図５は、本発明の実施例による別のフローチャートである。図示のごとく、ＣＭＹＫ画像をＲＧＢ座標に変換する（51）。例えば、ＣＭＹＫ画像は、分光光度計によって計測した正確なMatchprint（商標）プロファイル（即ち、ミネソタ州オークデールに所在するイメーション社（Imation Corp. of Oakdate, Minnesota）が市販しているImation Matchprint（商標）レーザープルーファの出力用のプロファイル）を有する絶対レンダリングインテントを使用してAdobeRGB（Ｄ５０）に変換することができる。画像としては、Ｃ、Ｍ、Ｙ、Ｒ、Ｇ、及びＢの１００％の単色と重ね刷りを含んでいるものが最適であるが、本発明は、これに限定されるものではない。
【００４３】
ＣＭＹＫ画像をＲＧＢに変換した後に、ハードコピーの光源条件に従って作業空間を設定することができる（52）。例えば、ハードコピーの光源条件がＤ５０の場合には、ＲＧＢ作業空間は、AdobeRGB（Ｄ５０）に設定する必要がある。作業空間の設定が完了すれば（52）、ディスプレイの蛍光体設定を調節して視覚的な白点に一致させることができる（53）。図４は、例えば、ディスプレイの視覚的な白点を判定するための適切な方法を示している。
【００４４】
この時点で、画像のＲＧＢソフトコピーを、画像のＣＭＹＫハードコピーの隣に表示することができる（54）。この場合にも、ＣＭＹＫハードコピーは、依然としてＤ５０光源によって照射する必要がある。次いで、画像のハードコピーを画像のソフトコピーと視覚的に比較することができる（55）。ソフトコピーをハードコピーと比較する際に、Ｄ５０光源条件を実現するべく、例えば、ビューイングステーションを実装することができる。
【００４５】
AdobeRGB（Ｄ５０）作業空間のＲ、Ｇ、及びＢの色度を調整し、画像のハードコピーとソフトコピー間の視覚的な一致を実現することができる（56）。例えば、AdobeRGB（Ｄ５０）作業空間の色度は、ディスプレイ上に表示される色がハードコピー上の色と同一に見えるまで増分によりユーザーが調節可能である。そして、色度に対する調節内容を記録することができる（57）。
【００４６】
白点及び色度に対する補正の判定と記録が完了すれば、後述するように、数学的なフレームワークに補正値を入力することにより、その変形操作を反復することができる。又、後述するＸＹＺからＸ’Ｙ’Ｚ’への数学的な変形を実行した後にＩＣＣプロファイルなどの新しいプロファイルを生成し、補正されるＩＣＣプロファイルによって描画されるＣＭＹＫ画像が、AdobeRGBの色度を変更することによって視覚的に補正されたＲＧＢ画像と同一に見えるようにすることができる。このＩＣＣプロファイルは、装置特性の特徴づけのためにＩＣＣ（International Color Consortium）が発行している既存の仕様に準拠することになる。
【００４７】
変形の一実装例では、行列代数を使用して非常に正確な一致結果を実現している。最終的なＸＹＺからＸ’Ｙ’Ｚ’への補正変形は、全体的に、次のように記述することができる。
【００４８】
【数１】
2005506723.tif 000003
【００４９】
ここで、第１の行列Ｍ1は、白点に関するＸＹＺへの補正を実行し、Ｍ2は、色度に対する補正を実行している。
【００５０】
Ｍ1補正は、ＲＧＢ（max）における表示装置の白点の測定値が、ｘD50、ｙD50ではなく、ｘD50＋ΔｘD50、ｙD50＋ΔｙD50となるように、表示装置の蛍光体の最大Ｒ、Ｇ、及びＢ強度を効果的にリスケールする。変数ΔｘD50、ΔｙD50は、視覚的な差に対応してＤ５０白点を変更している。従って、ｘD50＋ΔｘD50、ｙD50＋ΔｙD50は、視覚的な白点を定義している。
【００５１】
Ｍ2補正は、表示装置の飽和色の測定値が、ｘr2、ｙr2；ｘg2、ｙg2；及びｘb2、ｙb2ではなく、ｘr2＋Δｘr2、ｙr2＋Δｙr2；ｘg2＋Δｘg2、ｙg2＋Δｙg2；及びｘb2＋Δｘb2、ｙb2＋Δｙb2になるように、ＸＹＺ値を変更する。変数の組Δｘr2、Δｙr2；Δｘg2、Δｙg2；及びΔｘb2、Δｙb2は、視覚的な差に対応して理論的なＲＧＢ色度を変更している。
【００５２】
白点補正行列Ｍ1は、次のように記述することができる。
【００５３】
【数２】
2005506723.tif 000004
【００５４】
行列Ｍは、実際にはＲＧＢ色度と白点色度の関数であるが、この表記法は単純化されており、変化する唯一のパラメータが白点に対する補正だけであることを示している。白点補正行列Ｍ1を算出する際には、ＲＧＢ色度は一定であると見なすことができる。
【００５５】
この行列Ｍは、ＲＧＢ蛍光体の組を有する線形ＲＧＢ空間から、色度ｘ、ｙの計測白点に設定された特定のＣＲＴディスプレイ用の計測ＸＹＺへの変換を定義している。ΔｘD50及びΔｙD50の値は、Ｄ５０光源を有するビューイングステーションにおいて照射されている中立の白い反射体に表示装置を一致させるのに必要なＤ５０の色度に要求される視覚的な補正を示している。
【００５６】
色度のみの関数としてＭを定義するには、式は、行列ＭをＲ、Ｇ、及びＢ用の計測三刺激値Ｘ、Ｙ、及びＺの観点で記述することから始まる。ＸＹＺの値と色度値ｘ、ｙとの関係は、次の方程式のようになっている。
【００５７】
【数３】
2005506723.tif 000005
【００５８】
従って、
【００５９】
【数４】
2005506723.tif 000006
【００６０】
【数５】
2005506723.tif 000007
【００６１】
【数６】
2005506723.tif 000008
【００６２】
【数７】
2005506723.tif 000009
【００６３】
であり、ここで、Ｍcは、次の式によって与えられる色度行列である。
【００６４】
【数８】
2005506723.tif 000010
【００６５】
この色度行列Ｍcは、次のように、Ｒ、Ｇ、及びＢのｘ、ｙ色度のみの関数に更に縮小することができる。
【００６６】
【数９】
2005506723.tif 000011
【００６７】
ＲＧＢ色度が固定されていれば、色度行列Ｍcは固定行列である。
【００６８】
色度行列Ｍc及び白点色度の関数として行列Ｍを得るには、次のように、これらの方程式を解くことができる。
【００６９】
【数１０】
2005506723.tif 000012
【００７０】
【数１１】
2005506723.tif 000013
【００７１】
【数１２】
2005506723.tif 000014
【００７２】
【数１３】
2005506723.tif 000015
【００７３】
この方程式は、次のように、白点色度の関数として表すことができる。
【００７４】
【数１４】
2005506723.tif 000016
【００７５】
従って、最終的なＭの方程式は、ＲＧＢ及び白点色度のみの関数である。ＲＧＢ色度が固定されていると仮定することにより、これは、次のように、白点のみの関数となる。
【００７６】
【数１５】
2005506723.tif 000017
【００７７】
従って、白点補正行列Ｍ1の判定に使用する式は、次のように表すことができる。
【００７８】
【数１６】
2005506723.tif 000018
【００７９】
色補正行列Ｍ2（即ち、飽和色補正行列又はＲＧＢ色度補正行列）は、前述の白点補正行列Ｍ1を判定した方法と同様に判定することができる。但し、Ｍ2の式を判定及び縮小するには、白点色度が固定されていると仮定し、ＲＧＢ色度が変数となる。
【００８０】
白点補正行列Ｍ1は、表示装置の理論的な白点と経験的な白点（例：視覚的な白点）間の誤差を補正するのに適用可能である。色補正行列Ｍ2は、飽和色における残りの誤差を補正するのに適用することができる。換言すれば、Ｍ2行列は、飽和色の理論的な値と、飽和色の経験的、即ち、視覚的な計測値間の誤差を補正することができる。Ｍ2行列は、物理的なモニタを調節するのに適用したり、或いは、AdobeRGB又はｓＲＧＢなどの作業空間を調節するのに適用可能である。
【００８１】
例えば、作業空間を調節するべく色補正行列Ｍ2を適用する場合には、次のように表すことができる。
【００８２】
【数１７】
2005506723.tif 000019
【００８３】
ここで、ｘwp、ｙwpはｘD50、ｙD50であると仮定されており、ｘr2、ｙr2、ｘg2、ｙg2、及びｘb2、ｙb2はＲＧＢ作業空間の色度である。
【００８４】
白点補正、色補正、又はこれらの両方を色プロファイルに保存することができる。色プロファイルは、装置の色特性を記述するデータ構造である。色プロファイルには、通常、装置が装置独立座標から装置依存座標にどのように変換するかを説明する情報などの色情報が含まれている。補正変数を保存するか、又は前述のような変形を含むように色プロファイルを再定義することにより、色プロファイルによってソフトプルーフィングシステムを向上させ改善することができる。
【００８５】
既存のシステム及び規格と互換性を実現するべく、プロファイルには、この変形データを含めると共に、隠すこともできる。例えば、ＲＧＢ蛍光体のリスケーリングに関連する変形データを含むＩＣＣプロファイルは、依然として、そのプロファイル内の本来のＤ５０の白点ｘD50、ｙD50によって特徴付けられている。しかしながら、現実には、白点の実際の計測値はｘD50＋ΔｘD50、ｙD50＋ΔｙD50となり、ＲＧＢ用のＸＹＺ値は、実際に計測されたＲＧＢ色度から導出されることになる。このプロファイルをシステムが実装すれば、正確な色の一致を実現することができる。
【００８６】
少し広く考えれば、本発明は、装置独立座標のマルチステップ変形を構成することもできる。実験の結果、前述の分割変形技法によって良好な色の一致結果が生成されることが判明しているが、変形プロセスを更に分割することもできる。又、この変形をＸＹＺ色空間以外の装置独立色空間において実装することも可能であろう。ここで、ＸＹＺの例を再度参照すれば、より一般的な補正は、次の方程式によって表すことができる。
【００８７】
【数１８】
2005506723.tif 000020
【００８８】
行列Ｍ1〜Ｍnは、異なる色度に対して補正を実行することができる。一例として、Ｍ1は白点の色度を補正可能であり、Ｍ2は赤の色度を補正可能であり、Ｍ3は緑の色度を補正可能であり、Ｍ4は青の色度を補正可能である。
【００８９】
一般的に、行列の集合Ｍ1〜Ｍnの中のそれぞれの行列は、以下のように記述することができる。即ち、ＭComponent Transform（ＭCT）が行列の組｛Ｍ1〜Ｍn｝の中のいずれかの行列を表すとすれば、ＭCT＝（ＭExperimental）（ＭTheoretical）-1である。行列ＭTheoreticalは、色彩学の理論による装置依存空間から装置独立空間への変換を定義している。行列ＭExperimentalは、視覚的な比較などの実験的な結果による装置依存空間から装置独立空間への変換を定義している。色彩学の理論が経験的にも堅牢なものであれば、ＭTheoreticalはＭExperimentalと同一になり、（ＭExperimental）（ＭTheoretical）-1は、単位行列のＭCTを生成することになろう。しかしながら、色彩学の理論が破綻をきたし、ＭTheoreticalがＭExperimentalと同一でなければ、ＭCTは単位行列にはならず、個別の色度について色の一致を生成する変形行列となる。
【００９０】
図６は、本発明の実施例による模範的なソフトプルーフィングシステムを示している。色変形用の技法を実装するのに適したソフトプルーフィングシステムは、１つ又は複数のプルーフィングステーション６２Ａ〜６２Ｄを含むことができる。それぞれのプルーフィングステーション６２Ａ〜６２Ｄには、例えば、プロセッサ、ユーザー入力装置、ディスプレイモニタ、メモリ、ストレージ装置、及びプリンタが含まれる。これらのプルーフィングステーションは、電子的な表示や印刷再現用のテキスト及びグラフィック画像の生成にグラフィックアーティストやその他のユーザーが使用している従来のコンピュータシステムに実質的に準拠したものであってよい。メモリ／バスコントローラ及びシステムバスがプロセッサとメモリを接続しており、１つ又は複数のＩ／Ｏコントローラ及びＩ／Ｏバスが、プロセッサとメモリをユーザー入力装置、ディスプレイモニタ、ストレージ装置、及びプリンタに接続している。
【００９１】
プロセッサは、汎用マイクロプロセッサの形態をとることができ、ＰＣ、マッキントッシュ、コンピュータワークステーション、携帯データ端末、パームコンピュータ、デジタルペーパーなどに統合したり、或いはそれらの一部を構成することができる。ユーザー入力装置は、必要に応じて、従来のキーボード、並びに、マウス、ペン、又はトラックボールなどのポインティング装置を含むことができる。モニタには、ユーザーに対してテキスト及び／又はグラフィック情報を表示するＣＲＴやフラットパネルディスプレイなどが含まれる。メモリには、色変形法を実行するべくプロセッサがアクセス及び実行するプログラムコードを保存するランダムアクセスメモリ（ＲＡＭ）が含まれる。
【００９２】
プログラムコードは、ストレージ装置からメモリ内に読み込み可能であり、ストレージ装置は、システムと関連付けられた固定ハードディスク又はリムーバブル媒体のドライブの形態をとることができる。例えば、プログラムコードは、当初、磁気、光、光磁気、相変化、或いはその他のディスク又はテープ媒体などのコンピュータ読取り可能な媒体上に格納することができる。この代わりに、プログラムコードをＥＥＰＲＯＭなどの電子的なコンピュータ読取り可能な媒体からメモリに読み込んだり、或いは、ネットワーク接続を介してダウンロードすることもできる。ダウンロードする場合には、プログラムコードは、最初から搬送波に組み込むか、さもなければ、電磁信号で送信可能である。プログラムコードは、様々な機能を提供するアプリケーションプログラムの一機能として実装することができる。
【００９３】
ソフトプルーフィングシステム60は、個別のプルーフィングステーション62A〜62Dに接続されたソフトプルーフィング色管理制御装置65を含むこともできる。ソフトプルーフィング色管理制御装置65は、例えば、画像データを個別のプルーフィングステーション62A〜62Dに入力可能である。この画像データは、例えば、プルーフィングステーション62A〜62Dに送信する前に、色管理制御装置65によって変形することができる。この代わりに、色管理制御装置65から送信された後に、それぞれの個別のプルーフィングステーション62A〜62Dにおいて画像データを変形することも可能である。
【００９４】
ソフトプルーフィングシステム60は、印刷機などの少なくとも１つの印刷装置68と関連付けることもできる。動作の際には、ソフトプルーフィングシステム60は、個別のプルーフィングステーション62A〜62Dにおいてカラー画像を生成することができる。カラースペシャリストは、個別のプルーフィングステーション62A〜62Dにおいて画像をチェックし、画像の視覚的な見え方を彼らの好みに合わせて調節することができる。そして、プルーフィングステーション62A〜62Dにおける画像の見え方が許容範囲のものになれば、印刷装置68を使用し、プルーフィングステーション62A〜62Dで表示された画像と視覚的に等価に見える印刷媒体を大量印刷することができる。前述の技法及び開示内容を実装することにより、印刷装置68によって印刷される画像がプルーフィングステーション62A〜62Dにおいて表示された画像と視覚的に等価に見えるようになることは、重要である。
【００９５】
単純な行列に基づいたＸＹＺに対する補正によってＣＲＴディスプレイと反射性のハードコピー間に良好な相関がもたらされるという前提に基づき、正確なソフトプルーフィングシステムを実現可能である。この補正は、ハードコピーのＸＹＺ値を対応するＣＲＴのＸＹＺ値に補正するものとしては、次のように定式化することができる。
【００９６】
【数１９】
2005506723.tif 000021
【００９７】
又、ＣＲＴのＸＹＺ値を対応するハードコピーのＸＹＺ値に対して補正するものとしては、次のように定式化することができる。
【００９８】
【数２０】
2005506723.tif 000022
【００９９】
以下の実施例には、この変形を使用可能な方法が示されている。
【実施例１】
【０１００】
ＸＹＺ（又は等価な）計測データを計測する装置のドライバソフトウェア又はＥＰＲＯＭにおいて、行列
【０１０１】
【数２１】
2005506723.tif 000023
【０１０２】
を自動的に適用可能である。この結果、反射性の画像を観測するのに選択された光源に対してＣＲＴのすべてのアナログ及びデジタル設定（特に、白点又は色温度設定）が自動的によく相関することになる。更には、計測されたすべてのＸＹＺデータも自動的に補正される。この計測装置を使用してＤ５０の白点をＣＲＴ上に設定すれば、標準的な方法でＩＣＣプロファイルを生成することができる。ＣＲＴとハードコピー間の良好な視覚的な一致が生成されることになる。
【０１０３】
色管理ツールの中には、Kodak ColorFlow（商標）やGretag-Macbeth ProfileMaker（商標）などのように、１００％のＲＧＢと黒から白の範囲の一連のグレーカラーを計測するものが存在する。更に、その他のＩＣＣツールは、ＲＧＢの色値の特別な組み合わせを計測することができる。最も一般的な結果は、ＸＹＺ測定データに直接的に基づいた単純な行列／ＴＲＣプロファイルである。ＣＲＴをＤ５０の白点に設定しない場合には、Ｄ５０に調節するために、データに色順応を適用することができる。
【０１０４】
しかしながら、これらの計測ツールは、ＣＲＴのＸＹＺデータがその他の媒体で計測されたＸＹＺデータと視覚的な一貫性を有していないという事実の影響を受けることになる。従って、装置と媒体間における良好な視覚的な一致を実現するべく、
【０１０５】
【数２２】
2005506723.tif 000024
【０１０６】
行列をＣＲＴのＸＹＺデータに自動的に適用することができる。この変換は、ハードコピーに関連した（ＣＲＴの仕様及びＣＲＴの制御を含む）計測に関係するすべての状況に適用可能である。
【０１０７】
オペレーティングシステム及び／又はＣＲＴハードウェアの供給者は、本発明を実装し、彼らのＣＲＴと様々なプリンタ間において良好な視覚的な一致を実現することができる。例えば、まず、
【０１０８】
【数２３】
2005506723.tif 000025
【０１０９】
行列を使用し、自動的なＣＲＴセットアップ条件（白点又は色温度など）の定義に使用するすべてのＸＹＺデータを補正することにより、良好な視覚的な一致を実現することができる。次に、
【０１１０】
【数２４】
2005506723.tif 000026
【０１１１】
行列を使用し、ＩＣＣプロファイルの生成に使用するすべてのＸＹＺデータを自動的に補正し、特定のセットアップ条件についてＣＲＴを特徴付けることができる。
【０１１２】
換言すれば、ＣＲＴに関連する色のＣＩＥ仕様を再定義するために本発明を使用することができる。更に、この再定義は、ソフトプルーフィングアプリケーションを含む、あらゆる色計測に使用可能である。
【実施例２】
【０１１３】
ＣＲＴのＸＹＺにおける対応するＣＲＴ白点を導出するべく、次のように、行列ＭHC→CRTをハードコピーの光源（例：Ｄ５０）のＸＹＺ値に適用することができる。
【０１１４】
【数２５】
2005506723.tif 000027
【０１１５】
ＣＲＴ用の未補正のＩＣＣプロファイルは、ＣＲＴの色度及び白点値の組み合わせから構築することができる。
【０１１６】
【数２６】
2005506723.tif 000028
【０１１７】
そして、ＣＲＴのＸＹＺからハードコピーのＸＹＺに変換する変形を単純に適用した後に、前述の式によって色度値を再計算することにより、補正される行列を算出することができる。この代わりに、補正を白点補正と色補正に分割することも可能である。
【０１１８】
補正される視覚的な白点にＣＲＴが物理的に設定されている場合には（例：ＭHC→CRT（ＸＹＺD50））、定義により、ＣＲＴからハードコピーに向かうＣＲＴの白点色度ｘwp、ｙwpの補正される値は、ｘD50、ｙD50になる。これは、次のように、ＣＲＴの白の（ＣＲＴからＨＣに戻る）ＸＹＺの補正される値がＤ５０になるためである。
【０１１９】
【数２７】
2005506723.tif 000029
【０１２０】
従って、ハードコピーに対して補正されたＣＲＴ用のＣＲＴ行列は、所望の白点の色度値（即ち、Ｄ５０などのハードコピーの光源と同一の白点）を自動的に備えることになる。これは、そのＣＲＴプロファイルが基づいているＣＲＴのＸＹＺデータに白点補正行列Ｍ1-1を適用するのと等価である。
【０１２１】
残りの色補正は、ＲＧＢ用の未補正の色度と補正される白点の色度値（例：Ｄ５０）を使用して構築される前述のＣＲＴ行列に色補正行列Ｍ2-1を適用することにより、簡単に実行することができる。この方法の利点は、標準的なＩＣＣ生成ツールを使用し、所望の白点（例：Ｄ５０）が仮定されているＣＲＴ用の未補正のＩＣＣプロファイルを構築できることである。この結果得られたプロファイルは、行列／ＴＲＣプロファイルの行列部分に色補正行列Ｍ2-1を適用することにより、簡単に補正することができる。この簡単な補正をＣＲＴの白点の視覚的に正確なＤ５０白点への設定と組み合わせることにより、ＣＲＴとハードコピー間の良好な視覚的な一致が生成される。
【実施例３】
【０１２２】
ＣＲＴのＸＹＺにおける対応する値を導出するべく、ハードコピーのＸＹＺ値に行列ＭHC→CRTを適用する。
【０１２３】
【数２８】
2005506723.tif 000030
【０１２４】
ＣＲＴ用の行列は、ＣＲＴの色度及び白点値の組み合わせから構築可能であることを思い出して頂きたい。
【０１２５】
【数２９】
2005506723.tif 000031
【０１２６】
この行列の前述の値が一定であると仮定すれば、そえらの定数とそれらの定数に対する補正に基づいて新しい行列を定義することができる。
【０１２７】
【数３０】
2005506723.tif 000032
【０１２８】
そして、視覚的な補正法に基づいて、ＭHC→CRT行列を生成することができる。
【０１２９】
【数３１】
2005506723.tif 000033
【０１３０】
この最終的な式は、白点及び色度に対する視覚的な補正の関数である単一の行列を定義している。この単一の行列を使用し、ハードコピーのＸＹＺ値をＣＲＴのＸＹＺ値に相関させることができる。
【０１３１】
以上、本発明のいくつかの実装例について説明した。例えば、色の一致を促進するべく、装置独立座標を変形する色変形法について説明している。ソフトプルーフィングを実現するべく、その他のカラー画像生成法と共に（或いは、それらなしに）、１つ又は複数の実装例を実施可能である。
【０１３２】
但し、様々な変更を加えることが可能であることを理解されたい。例えば、これらの変形法を実装し、２つの画像生成装置間の色の一致を改善することができる。例えば、これらの変形法を実装し、２つのプリンタ間又は２つのディスプレイ間の色の一致を改善することができる。更には、装置独立座標の変形を分割する概念は、先程詳しく述べた「白点」対「色」の実装よりも広範囲に適用可能である。
【０１３３】
これらの変形法を実装するシステムは、第１の装置依存座標の組を装置独立座標に変換し、変形を実施した後に、変形された装置独立座標を第２の装置依存座標の組に変換するシステムである。或いは、このシステムは、第１の装置依存座標の組を装置独立座標に変換し、変形演算を実行した後に、変形された装置独立座標に第２の装置依存座標の組を変換するシステムである。
【図面の簡単な説明】
【０１３４】
【図１−５】本発明の実施例によるフローチャートである。
【図６】本発明の実施例による模範的なソフトプルーフィングシステムを示している。
【図１】
2005506723.tif 000034
【図２】
2005506723.tif 000035
【図３】
2005506723.tif 000036
【図４】
2005506723.tif 000037
【図５】
2005506723.tif 000038
【図６】
2005506723.tif 000039
【国際公開パンフレット】
2005506723.tif 000040
2005506723.tif 000041
2005506723.tif 000042
2005506723.tif 000043
2005506723.tif 000044
2005506723.tif 000045
2005506723.tif 000046
2005506723.tif 000047
2005506723.tif 000048
2005506723.tif 000049
2005506723.tif 000050
2005506723.tif 000051
2005506723.tif 000052
2005506723.tif 000053
2005506723.tif 000054
2005506723.tif 000055
2005506723.tif 000056
2005506723.tif 000057
2005506723.tif 000058
2005506723.tif 000059
2005506723.tif 000060
2005506723.tif 000061
2005506723.tif 000062
2005506723.tif 000063
2005506723.tif 000064
2005506723.tif 000065
2005506723.tif 000066
2005506723.tif 000067
2005506723.tif 000068
2005506723.tif 000069
2005506723.tif 000070
2005506723.tif 000071
2005506723.tif 000072
【国際調査報告】
2005506723.tif 000073
2005506723.tif 000074
2005506723.tif 000075